(57)【要約】【課題】    Ｂｃｃの機能の特徴は、Ｂｃｃの受信者はすべての受信者（ＴｏとＣＣ）を知ることができる事のほかにＴｏとＣＣの受信者にＢｃｃ受信者の存在が知られない事にある。  しかしながら、従来の方法では暗号化されたデータを復号化する際にＢｃｃ送信先アドレスがＴｏとＣＣの受信者に知られてしまうこととなってしまっていた。【解決手段】    本発明は、送信先の中からＴｏとＣＣ宛ての情報の暗号化はＴｏとＣＣのアドレスに対応する公開鍵で情報を暗号化し、Ｂｃｃ宛てのメールを別途送信し情報の暗号化はＢｃｃのアドレスに対応する公開鍵とＴｏとＣＣのアドレスに対応する公開鍵を同時に用いて情報を暗号化することで、この問題を解決したものである。【選択図】  図１
2005354648.tif 000002
【特許請求の範囲】
【請求項１】
対になる２つの鍵を用いて情報の暗号化・復号化を行なう暗号方式を使用するメール自動暗号化方法において、送信種別を識別して、送信種別ごとに情報の暗号化を行うメール自動暗号化方法。
【請求項２】
前記暗号化方法は、送信種別１は送信種別１に含まれる送信アドレスとそれぞれの送信アドレスに対応する公開鍵を同時に用いて情報の暗号化を行い、送信種別２は送信種別１に含まれる送信アドレスとそれぞれの送信アドレスに対応する公開鍵と、送信種別２のアドレスに対応する公開鍵を同時に用いて情報の暗号化を行う請求項１記載のメール自動暗号化方法。
【請求項３】
対になる２つの鍵を用いて情報の暗号化・復号化を行なう暗号方式を使用するメール自動暗号化装置において、複数の送信種別を識別して情報の暗号化を行う暗号化装置を用いたことを特徴とするメール自動暗号化装置。
【請求項４】
前記暗号化部は、識別した送信種別１はそれに属する全ての公開鍵を用いて情報を暗号化し、送信種別２は送信種別２に属する１個の公開鍵と送信種別１に属する全ての公開鍵を用いて情報の暗号化を行うことを特徴とする前記第３項記載のメール自動暗号化装置。
【発明の詳細な説明】
【技術分野】
【０００１】  本発明は、電子メール等の情報を暗号化して送信する時の手続きを簡単に行う方式と装置に関するものである。
【背景技術】
【０００２】  一般に、電子メールを暗号化して送信する場合、対になる２つの鍵を使ってデータの暗号化・復号化を行なう暗号方式が、一般に用いられている。この方法で暗号化した電子メールの送受信を行う場合、相互の公開鍵をあらかじめ交換しておくことが前提になっている。【０００３】  電子メールを送信する場合、送信相手の公開鍵を用いて暗号化し、電子メールの受信者は対になる秘密鍵で復号する。一方メールを受信する場合は、相手に渡してある自分の公開鍵で暗号化してもらい、送られてきた暗号文を自分の秘密鍵で復号する。
【発明の開示】
【発明が解決しようとする課題】
【０００４】  複数の相手に同じ情報を電子メールで送信する送信の場合、暗号化して送信する情報は一種類でなければならない。そのために受信者の公開鍵を同時に使用して情報を暗号化する。送信種別は通常、Ｔｏ、ＣＣ（カーボンコピー）、Ｂｃｃ（ブラインドカーボンコピー）の３種存在する。【０００５】  受信者の中にＢｃｃで指定されたものがいると、暗号化に使用した公開鍵の情報から、ＴｏとＣＣの受信者はＢｃｃの受信者の存在を知ることができる。Ｂｃｃの機能の特徴は、ＴｏとＣＣの受信者にＢｃｃ受信者の存在を隠すことのほかに、Ｂｃｃの受信者はすべての受信者（ＴｏとＣＣ）を知ることができる点にある。【０００６】  ＴｏとＣＣの受信者にＢｃｃ受信者の存在を知られなくするために、Ｂｃｃ送信を使用しない、ＴｏとＣＣ、Ｂｃｃ宛ての情報を別々に暗号化する。すなわち、ＴｏとＣＣ宛て情報の暗号化はＴｏとＣＣのアドレスに対応する公開鍵で情報を暗号化し、Ｂｃｃ宛ての情報の暗号化はＢｃｃのアドレスに対応する公開鍵だけで情報を暗号化する方法が考えられる。【０００７】  しかしながら、この方法ではＢｃｃの機能であるＢｃｃ受信者が他の受信者（ＴｏとＣＣ）を知ることができないという問題があった。  本発明は、斯かる実情に鑑み、Ｂｃｃを含む暗号化送信の場合でもＢｃｃの機能を損なわずに電子メールの暗号化を可能にする装置を提供しようとするものである。
【課題を解決するための手段】
【０００８】  本発明は、送信先の中からＴｏとＣＣ宛ての情報の暗号化はＴｏとＣＣのアドレスに対応する公開鍵で情報を暗号化し、Ｂｃｃ宛ての情報の暗号化はＢｃｃのアドレスに対応する公開鍵とＴｏとＣＣのアドレスに対応する公開鍵を同時に用いて情報を暗号化することで、この問題を解決したものである。【０００９】  上記手段によれば、以下のような作用が得られる。
【発明の効果】
【００１０】  本発明によれば、Ｂｃｃ送信の機能をまったく損なうことなく、電子メール等の情報の暗号化送信が可能になった。また、市販されているどのメーラにも対応できるという利点を有している。さらに、メーラの外部で暗号化、復号化を行うので、メーラ上の電子メール情報は平文化された状態で保存される。【００１１】  このためメールクライアント上での情報の検索が通常の方法で行えるので、好都合である。
【発明を実施するための最良の形態】
【００１２】  以下、本発明の実施の形態を図示例と共に説明する。  図１〜図２は発明を実施する形態の一例であって、以下に上記図示例の作動を説明する。図１は本発明のプロキシ装置の概略の構成を示す図である。２００は本発明のメール自動化暗号化装置、２１２はメール処理部でメールクライアント２１１とメールサーバ２１３との通信の制御、メールデータの受け渡しを行う。【００１３】  ２１４はメールクライアント２１１から送られてきた電子メールの送付先アドレスを記憶する送付先アドレス記億部、２１５は平文メール記憶部、２１７は暗号化メール記憶部である。２１８は送信者の秘密鍵を記憶する秘密鍵記憶部、２１９は受信者の公開鍵を記憶する公開鍵記憶部である。【００１４】  公開鍵は通常送付先のアドレスに対応して格納されている。２２０はパスワードつき圧縮や暗号化などに使用するパスワードを記憶するパスワード記憶部である。暗号化部２１６はＴｏ、ＣＣ、Ｂｃｃという送信種別に応じて、必要な公開鍵を公開鍵記憶部２１９から呼び出し、平文メール記憶部２１５に格納されているメールデータを暗号化し、暗号化メール記憶部２１７へ引き渡す。【００１５】  暗号化メール記憶部２１７はメール処理部２１７の指示により暗号化メールをメール処理部２１７の指示に引き渡す。  次に図２のシーケンスを用いて本発明の自動暗号化装置２００の動作手順を説明する。ここでは、メールクライアントがＴｏ，ＣＣ，Ｂｃｃを含む送付先に平文メールを送付する場合について説明する。【００１６】  また、公開鍵記憶部２１９には各アドレスに対応して、暗号化送信を行うか否かを設定するセキュリティレベルが格納されている。  メールクライアント２１１の接続要求コマンドはメール処理部２１２からメールサーバ２１３へ通知され、メールサーバ２１３の接続受理コマンドはメール処理部２１２を通じて、メールクライアント２１１に渡され、接続が成立する。【００１７】  次にメールクライアント２１１からメール処理部２１２にメール送付先を登録するＲＣＰＴコマンドが送られ、送付先アドレスが送付先アドレス記憶部２１４へ送られる。次にメール本文データ送信開始を通知するＤＡＴＡコマンドがメールクライアント２１１からメール処理部２１２に送られ、メール処理部２１２からメールクライアント２１１に応答が来ると、メールデータがメールクライアント２１１からメール処理部２１２に送られる。【００１８】  メール処理部２１２は送られたメールデータを平文メール記憶部２１５に格納し、暗号化部２１６は、Ｔｏ，ＣＣ送信の全てのアドレスに対応した公開鍵を用いて平文メール記憶部２１５に格納されたメールデータの暗号化を行う。【００１９】  暗号化されたメールデータは暗号化メール記憶部２１７へ格納される。暗号化されたＴｏ，ＣＣ向けメールデータをマールサーバへ送るために、メール処理部２１２はＲＣＰＴコマンドをメールサーバ２１３へ送付、メールサーバ２１３からの応答の後、ＤＡＴＡコマンドをメールサーバ２１３へ送付、メールサーバ２１３からの応答の後、暗号化メール格納部２１７に格納されたメールデータをメールサーバ２１３に送付、その後メールデータ終端処理を行いＴｏ，ＣＣ向け暗号化メールの送付��終了する。【００２０】  次にメール処理部２１２はＢｃｃ向けの暗号化処理に移行する。Ｂｃｃ向けメールデータの暗号化はＴｏのアドレスに応じた全ての公開鍵、ＣＣのアドレスに応じた全ての公開鍵とＢｃｃのアドレスに応じた１つの公開鍵を用いて、平文メール記憶部２１５に格納された平文メールを暗号化する。【００２１】  暗号化されたメールデータは暗号化メール記憶部へ格納される。  メール処理部２１２とメールサーバ２１３との間でＲＣＰＴコマンド処理が行われた後、ＤＡＴＡコマンド処理が行われ、暗号化されたメールデータがメールサーバ２１３へ送られ、メールデータ終端処理が行われる。【００２２】  Ｂｃｃ向けアドレスが複数あればこの処理をその数の分だけ繰り返す。以上で一連の処理は終了する。  ここでは、秘密鍵と公開鍵のペアを用いて暗号化、復号化を行う方式について説明したが、圧縮などの暗号化を行う場合にはＢｃｃ向けのメール暗号化と送信を独立して行う処理は行わない。【００２３】  さらにＢｃｃのあて先ごとに送信を行う処理も行わず、全アドレスに対してのメールデータ送信を一度で終わらせる。  こうして、本発明によればＢｃｃを含む送信であっても、Ｂｃｃの存在をまったく意識することなく、電子メールを暗号化して送信することが可能になるだけでなく、Ｂｃｃ送信の持つ本来の機能を失わなわずに暗号化送信を可能にするという特徴を有する。【００２４】  尚、本発明の実施形態は、上述の図示例にのみ限定されるものではなく、本発明の要旨を逸脱しない範囲内において種々変更を加え得ることは勿論である。
【図面の簡単な説明】
【００２５】
【図１】  メール自動暗号化装置の概略機能構成図
【図２】  シーケンス
【符号の説明】
【００２６】      ２００  メール自動暗号化装置
２１１  メールクライアント
２１２  メール処理部
２１３  メールサーバ
２１４  送付アドレス記憶部
２１５  平文メール記憶部
２１６  暗号化部
２１７  暗号化メール記憶部
２１８  秘密鍵記憶部
２１９  公開鍵記憶部
２２０  パスワード記憶部
【図１】
2005354648.tif 000003
【図２】
2005354648.tif 000004